(57)【要約】【課題】小型化、薄型化、外観上の見栄え、グリップ性等のデザイン的な機能に優れたデジタルカメラを提供する。【解決手段】デジタルカメラ本体１２と、デジタルカメラ本体１２の左右何れかの側面に形成された装着面２４に着脱自在に装着され、デジタルカメラ本体１２に電力を供給すると共にデジタルカメラ１０のグリップ部を構成するバッテリー１４と、装着面２４に形成され、デジタルカメラ本体１２の放熱を行う放熱孔３８と、突起部３９とを備えている。【選択図】図３
2008172418.tif 000002
【特許請求の範囲】
【請求項１】
デジタルカメラ本体と、
前記デジタルカメラ本体の左右何れかの側面に形成された装着面に着脱自在に装着され、前記デジタルカメラ本体に電力を供給すると共にデジタルカメラのグリップ部を構成するバッテリーと、
前記装着面に形成され、前記デジタルカメラ本体内で発生した熱の放熱を行う放熱孔と、
前記装着面に前記バッテリーが装着されたときに該装着面と前記バッテリーとの間にクリアランスを形成するクリアランス形成手段と、を備えたことを特徴とするデジタルカメラ。
【請求項２】
デジタルカメラ本体と、
前記デジタルカメラ本体の左右何れかの側面に形成された装着面に着脱自在に装着され、前記デジタルカメラ本体に電力を供給すると共にデジタルカメラのグリップ部を構成するバッテリーと、
前記装着面に形成され、前記デジタルカメラ本体内にメモリーカードを装着するカード挿入口と、を備えたことを特徴とするデジタルカメラ。
【請求項３】
デジタルカメラ本体と、
前記デジタルカメラ本体の左右何れかの側面に形成された装着面に着脱自在に装着され、前記デジタルカメラ本体に電力を供給すると共に該デジタルカメラのグリップ部を構成するバッテリーと、
前記装着面に形成され、前記デジタルカメラ本体内にボタン電池を挿入する電池挿入口と、を備えたことを特徴とするデジタルカメラ。
【請求項４】
デジタルカメラ本体と、
前記デジタルカメラ本体の左右何れかの側面に形成された装着面に着脱自在に装着され、前記デジタルカメラ本体に電力を供給すると共にデジタルカメラのグリップ部を構成するバッテリーと、
前記装着面に形成され、前記デジタルカメラ本体で発生した熱の放熱を行う放熱孔と、
前記装着面に前記バッテリーが装着されたときに該装着面と前記バッテリーとの間にクリアランスを形成するクリアランス形成手段と、
前記装着面に形成され、前記デジタルカメラ本体内にメモリーカードを挿入するカード挿入口と、
前記装着面に形成され、前記デジタルカメラ本体内にボタン電池を挿入する電池挿入口と、を備えたことを特徴とするデジタルカメラ。
【請求項５】
前記バッテリーの厚みは、前記デジタルカメラ本体の厚みと同じに形成されることを特徴とする請求項１〜４の何れか１のデジタルカメラ。
【請求項６】
前記装着面には、前記バッテリーと前記デジタルカメラ本体とを電気的に導通するコネクターピンが設けられると共に、該コネクターピンが湾曲した板バネ部材により形成され、前記バッテリーを前記デジタルカメラ本体に装着したときに、前記コネクターピンが前記バッテリーと前記デジタルカメラ本体とを離間する方向に付勢することを特徴とする請求項１〜５の何れか１のデジタルカメラ。
【請求項７】
前記バッテリーは横断面形状がＬ字形状に形成されていることを特徴とする請求項１〜６の何れか１のデジタルカメラ。
【請求項８】
前記バッテリーの表裏面の少なくとも一方面には、該バッテリー表面に沿って縦向きに走る凸形状であって、前記バッテリーを手でグリップしたときに、指が係合する係合突起部が形成されることを特徴とする請求項１〜７の何れか１のデジタルカメラ。
【請求項９】
前記バッテリーには、ストラップが取り付けられていることを特徴とする請求項１〜８の何れか１のデジタルカメラ。
【発明の詳細な説明】
【技術分野】
【０００１】
本発明は、デジタルカメラに係り、特にデジタルカメラの小型化、薄型化、外観の見栄え、グリップ性等のデザイン的な機能を改良するための技術に関する。
【背景技術】
【０００２】
近年のデジタルカメラの普及はめざましく、マルチな機能を付随したデジタルカメラが開発されている。一方では、小型化、薄型化、外観の見栄え、グリップ性等のデザイン的な機能も追求されている。特に、小型化、薄型化に関してはバッテリー部（例えば電池ホルダー）の大きさが障害となっている。
【０００３】
このようなデザイン的な機能の改良技術としては、例えば特許文献１〜特許文献３がある。特許文献１は、デジタルカメラ本体にストロボユニット、カードスロットユニット、液晶ユニット、バッテリーユニットの各部品をそれぞれ着脱可能に構成している。これにより、当座使用しない部品についてはデジタルカメラ本体から外した状態で使用できるようにすることで、使用時の小型化、薄型化を図っている。
【０００４】
また、特許文献２は、メモリーカード一体のバッテリー装置本体とすることで、デジタルカメラや携帯電話等の機器全体を薄型化することが記載されている。特許文献３には、２次電池を有するカメラ本体に、バッテリーパックを装着することにより、バッテリーパックからカメラ本体の２次電池にいつでも充電できる構成とすることにより、小型で使い勝手のよいカメラとしたことが開示されている。
【特許文献１】特開平１１−１８７２９７号公報
【特許文献２】特開２００４−２１３９２５号公報
【特許文献３】特開平１１−２９５８０８号公報
【発明の開示】
【発明が解決しようとする課題】
【０００５】
しかしながら、上記した特許文献１〜３は、デザイン的な機能としてそれぞれ工夫はしてあるものの、未だ十分とは言えない。
【０００６】
また、デジタルカメラには、特許文献２に示されるように、メモリーカードを使用することが一般的である。更には、バッテリーからのメイン電力供給が停止したときでも駆動しなくてはならない日時回路等の電力供給源としてボタン電池が使用されることがある。      
【０００７】
これらメモリーカードやボタン電池は、デジタルカメラに装着するための挿入口を形成しなくてはならず、挿入口に蓋を必要とすると共に、挿入口が見えると外観的美観からも好ましくない。更には、デジタルカメラは撮像装置を構成する固体撮像素子（ＣＣＤやＣＭＯＳ）が熱を発生するが、デジタルカメラに放熱孔を形成すると見栄えが悪くなるという問題がある。
【０００８】
本発明はこのような事情に鑑みてなされたもので、小型化、薄型化、外観上の見栄え、グリップ性等のデザイン的な機能に優れたデジタルカメラを提供することを目的とする。
【課題を解決するための手段】
【０００９】
本発明は、デジタルカメラ本体に着脱自在なバッテリー自体をデジタルカメラのグリップ部として構成すると共に、バッテリーが装着されるデジタルカメラ本体の装着面に放熱孔、メモリーカードのカード挿入口、あるいはボタン電池の電池挿入口を形成することで、装着面の有効利用を図り、これによりデジタルカメラのデザイン的な機能の改良を図るものである。
【００１０】
本発明の請求項１は、前記目的を達成するために、デジタルカメラ本体と、前記デジタルカメラ本体の左右何れかの側面に形成された装着面に着脱自在に装着され、前記デジタルカメラ本体に電力を供給すると共にデジタルカメラのグリップ部を構成するバッテリーと、前記装着面に形成され、前記デジタルカメラ本体内で発生した熱の放熱を行う放熱孔と、前記装着面に前記バッテリーが装着されたときに該装着面と前記バッテリーとの間にクリアランスを形成するクリアランス形成手段と、を備えたことを特徴とするデジタルカメラを提供する。
【００１１】
本発明の請求項１によれば、着脱自在なバッテリー自体をデジタルカメラのグリップ部としたので、デジタルカメラ本体にグリップ部を形成する必要がない。これにより、デジタルカメラ本体を小型化できるだけでなく、デジタルカメラ本体の設計自由度が向上する。また、バッテリーをデジタルカメラ本体と別装置とすることで、バッテリーの高容量化への対応が容易になる。また、バッテリーをデジタルカメラ本体と別に設けることで、電池高容量化が可能となる。
【００１２】
更には、バッテリーが装着される装着面に放熱孔を形成するようにしたので、バッテリー装着時は放熱孔が見えなくなり、外観上の見栄えが向上する。しかも、デジタルカメラ本体の装着面にバッテリーを装着したときには、クリアランス形成手段により、装着面の放熱孔が塞がれることがないので、放熱効果が低減しない。尚、クリアランスとしては、バッテリーで放熱孔が塞がれなければよく、例えば０．１ｍｍ〜１ｍｍ程度が好ましい。
【００１３】
本発明の請求項２は、前記目的を達成するために、デジタルカメラ本体と、前記デジタルカメラ本体の左右何れかの側面に形成された装着面に着脱自在に装着され、前記デジタルカメラ本体に電力を供給すると共にデジタルカメラのグリップ部を構成するバッテリーと、前記装着面に形成され、前記デジタルカメラ本体内にメモリーカードを装着するカード挿入口と、を備えたことを特徴とするデジタルカメラを提供する。
【００１４】
本発明の請求項２によれば、着脱自在なバッテリー自体をデジタルカメラのグリップ部としたので、デジタルカメラ本体にグリップ部を形成する必要がない。これにより、デジタルカメラ本体を小型化できるだけでなく、デジタルカメラ本体の設計自由度が向上する。また、バッテリーをデジタルカメラ本体と別装置とすることで、バッテリーの高容量化への対応が容易になる。また、バッテリーをデジタルカメラ本体と別に設けることで、電池高容量化が可能となる。
【００１５】
更には、バッテリーが装着される装着面に、メモリーカードのカード挿入口を形成したので、バッテリー装着時はカード挿入口が見えなくなり、外観上の見栄えが向上するだけでなく、バッテリーがカード挿入口の蓋の役目をするので、蓋を別途設ける必要がない。また、メモリーカードの装着及び脱着は、電源を切った状態で行うことが好ましいが、バッテリーが装着される装着面にカード挿入口を形成したので、メモリーカードの装着及び脱着をするためには、バッテリーをデジタルカメラ本体から脱着する必要があり、自動的に電源が切れる。従って、バッテリー有無によるメモリーカードデータ保護用の検出スイッチを必要としない。
【００１６】
本発明の請求項３は、前記目的を達成するために、デジタルカメラ本体と、前記デジタルカメラ本体の左右何れかの側面に形成された装着面に着脱自在に装着され、前記デジタルカメラ本体に電力を供給すると共に該デジタルカメラのグリップ部を構成するバッテリーと、前記装着面に形成され、前記デジタルカメラ本体内にボタン電池を挿入する電池挿入口と、を備えたことを特徴とするデジタルカメラを提供する。
【００１７】
本発明の請求項３によれば、着脱自在なバッテリー自体をデジタルカメラのグリップ部としたので、デジタルカメラ本体にグリップ部を形成する必要がない。これにより、デジタルカメラ本体を小型化できるだけでなく、デジタルカメラ本体の設計自由度が向上する。また、バッテリーをデジタルカメラ本体と別装置とすることで、バッテリーの高容量化への対応が容易になる。また、バッテリーをデジタルカメラ本体と別に設けることで、電池高容量化が可能となる。
【００１８】
更には、バッテリーが装着される装着面に、ボタン電池の電池挿入口を形成したので、バッテリー装着時は電池挿入口が見えなくなり、外観上の見栄えが向上するだけでなく、バッテリーが電池挿入口の蓋の役目をするので、蓋を別途設ける必要がない。
【００１９】
本発明の請求項４は、前記目的を達成するために、デジタルカメラ本体と、前記デジタルカメラ本体の左右何れかの側面に形成された装着面に着脱自在に装着され、前記デジタルカメラ本体に電力を供給すると共にデジタルカメラのグリップ部を構成するバッテリーと、前記装着面に形成され、前記デジタルカメラ本体内で発生した熱の放熱を行う放熱孔と、前記装着面に前記バッテリーが装着されたときに該装着面と前記バッテリーとの間にクリアランスを形成するクリアランス形成手段と、前記装着面に形成され、前記デジタルカメラ本体内にメモリーカードを挿入するカード挿入口と、前記装着面に形成され、前記デジタルカメラ本体内にボタン電池を挿入する電池挿入口と、を備えたことを特徴とするデジタルカメラを提供する。
【００２０】
本発明の請求項４は、請求項１〜３の構成要件を全て満足するように構成されたものである。
【００２１】
請求項５は請求項１〜４の何れか１において、前記バッテリーの厚みは、前記デジタルカメラ本体の厚みと同じに形成されることを特徴とする。
【００２２】
請求項５によれば、バッテリーの厚みを、デジタルカメラ本体の厚みと同じに形成したので、デジタルカメラ本体とバッテリーとの一体感が形成され、デザイン性に優れたデジタルカメラを提供することができる。
【００２３】
請求項６は請求項１〜５の何れか１において、前記装着面には、前記バッテリーと前記デジタルカメラ本体とを電気的に導通するコネクターピンが設けられると共に、該コネクターピンが湾曲した板バネ部材により形成され、前記バッテリーを前記デジタルカメラ本体に装着したときに、前記コネクターピンが前記バッテリーと前記デジタルカメラ本体とを離間する方向に付勢することを特徴とする。
【００２４】
請求項６は、デジタルカメラ本体に着脱自在なバッテリーをグリップ部とした場合には、バッテリーがデジタルカメラ本体に確実に固定されていないと、デジタルカメラ本体が微動し易く、撮像ブレの原因になる。しかし、本発明では、装着面には、バッテリーとデジタルカメラ本体とを電気的に導通するコネクターピンが設けられ、バッテリーをデジタルカメラ本体に装着したときに、コネクターピンがバッテリーとデジタルカメラ本体とを離間する方向に付勢するようにしたので、バッテリーをデジタルカメラ本体に確実に固定することができる。
【００２５】
請求項７は請求項１〜６の何れか１において、前記バッテリーは横断面形状がＬ字形状に形成されていることを特徴とする。
【００２６】
請求項７のようにバッテリー自体の形状を、横断面形状がＬ字形状になるように形成したので、バッテリーを手でグリップしたときのグリップ性が向上する。
【００２７】
請求項８は請求項１〜７の何れか１において、前記バッテリーの表裏面の少なくとも一方面には、該バッテリー表面に沿って縦向き走る凸形状であって、前記グリップ部を手でグリップしたときに、指が係合する係合突起部が形成されることを特徴とする。
【００２８】
請求項８によれば、バッテリーの表裏面の少なくとも一方面に、該バッテリー表面に沿って縦向きに走る凸形状であって、前記バッテリーを手でグリップしたときに、指が係合する係合突起部を形成したので、グリップ性が向上する。
【００２９】
請求項９は請求項１〜８の何れか１において、前記バッテリーには、ストラップが取り付けられていることを特徴とする。
【００３０】
請求項９によれば、バッテリーにストラップを取り付けたので、デジタルカメラ本体に取り付ける必要がない。これにより、デジタルカメラ本体の設計自由度を上げることができるだけでなく、バッテリーを脱着したときに、ストラップがあることでバッテリーを紛失しにくくなる。
【発明の効果】
【００３１】
本発明によれば、小型化、薄型化、外観上の見栄え、グリップ性等のデザイン的な機能に優れたデジタルカメラを提供することができる。
【発明を実施するための最良の形態】
【００３２】
以下、図面に従って本発明に係るデジタルカメラの好ましい実施の形態について説明する。
【００３３】
図１は本発明のデジタルカメラを構成する基本構成の斜視図であり、図１（Ａ）はバッテリーをデジタルカメラ本体から脱着（取り外す）した図、図１（Ｂ）はバッテリーをデジタルカメラ本体に装着した図である。
【００３４】
図１に示すように、本発明のデジタルカメラ１０は、主として、デジタルカメラ本体１２と、バッテリー１４とで構成される。
【００３５】
デジタルカメラ本体１２は、厚みが薄い略矩形状に形成され、デジタルカメラ本体１２の表面に沈胴式レンズ１６（レンズがデジタルカメラ本体１２に対して出没する方式）、フラッシュの窓１８等が設けられ、裏面に液晶モニタ２０（ＬＣＤ）、各種の操作ボタン２２等が設けられる。操作ボタン２２としては、例えばメニューボタン２２Ａ、再生ボタン２２Ｂ、フォトモードボタン２２Ｃ、広角ズーム／望遠ズームボタン２２Ｄ、表示／戻りボタン２２Ｅ、フラッシュ駆動ボタン２２Ｆ等が設けられる。また、デジタルカメラ本体１２の上面には、レリースボタン２３が設けられる。
【００３６】
また、デジタルカメラ本体１２の左右側面のうちの何れかに、バッテリー１４を装着するための装着面２４が形成される。この場合、デジタルカメラ本体１２の左右側面のうち操作ボタン２２が配置された図１の右側の側面を装着面２４とすることがより好ましい。このデジタルカメラ本体１２の装着面２４には、デジタルカメラ本体１２とバッテリー１４とを電気的に接続するコネクターピン２６と、バッテリー１４をデジタルカメラ本体１２に装着するための装着機構が設けられる。装着機構は、バッテリー１４の装着面２７側にも設けられる。
【００３７】
コネクターピン２６は、装着面２４の上部に複数個（図１は３個）並列して設けられ、湾曲状に突出した板バネ部材によって形成される。
【００３８】
また、装着機構は、主として、デジタルカメラ本体１２の装着面２４の上部左右２箇所と下部左右２箇所の計４箇所に形成されたフック２８、２８…と、バッテリー１４側の装着面２７の上部左右２箇所と下部左右２箇所の計４箇所に形成されて前記フック２８に係合する係合孔３０と、で形成される。これにより、デジタルカメラ本体１２のフック２８とバッテリー１４の係合孔３０とを係合させることにより、バッテリー１４がデジタルカメラ本体１２の装着面２４に装着される。また、この装着により、上記した湾曲状のコネクターピン２６が押圧されて反力が発生し、バッテリー１４はデジタルカメラ本体１２から離間する方向に付勢力を受ける。従って、バッテリー１４はデジタルカメラ本体１２に確実に装着固定される。この結果、バッテリーを着脱自在方式にし、且つバッテリーをグリップ部として構成しても、バッテリー１４とデジタルカメラ本体１２との装着ガタが発生しないので、撮像ブレを起こすことがない。
【００３９】
また、デジタルカメラ本体１２の装着面には、スライドピン３２が形成され、このスライドピン３２はデジタルカメラ本体１２の裏面に設けたスライドボタン３４のスライドに連動してスライドするように構成される。一方、バッテリー１４側の装着面２７には、スライドピン３２が係合する縦向きの長孔（図示せず）が形成され、スライドボタン３４を最下端までスラドしたときに長孔の最下端に当接する。これにより、バッテリー１４を装着機構によりデジタルカメラ本体１２の装着面２４に装着した後、スライドボタン３４を最下端までスライドさせることで、フック２８と係合孔３０との係合をロックすることができる。また、バッテリー１４をデジタルカメラ本体１２から脱着するときには、スライドボタン３４を最上端までスライドずれば、フック２８と係合孔３０とのロックが解除される。尚、上記した装着機構やロック機構は、これに限定されるものではなく、確実に装着及びロックできる機構であればよい。
【００４０】
図２に示すように、バッテリー１４の厚みＤ１及び高さＨ１は、デジタルカメラ本体１２の厚みＤ２    や高さＨ２と同じであることが好ましい。また、バッテリー１４の形状としては、図２（Ａ）や図２（Ｂ）の形状を好ましく採用することができる。
【００４１】
図２（Ａ）は、バッテリー１４の形状が略矩形状の態様であり、装着面２７（バッテリーの装着面）とは反対側の面が湾曲状に丸みをもって形成される。また、バッテリー１４の表裏面（デジタルカメラ本体１２の表裏面と同じ意味で使用）の少なくとも一方面には、係合突起部３６が設けられる。この係合突起部３６は、バッテリー１４に縦方向に走る１本の凸形状であり、裏面に形成された係合突起部３６には、デジタルカメラ本体１２に装着されたバッテリー１４を手でグリップしたときに、手の親指が係合する。また、バッテリー１４の表面に形成された係合突起部３６（図示せず）には、親指以外の他の指が係合する。これにより、デジタルカメラ１０のグリップ性を向上できる。
【００４２】
また、図２（Ｂ）は、バッテリー１４の横断面形状がＬ字形状になるようにした態様である。この場合、Ｌ字はデジタルカメラ１０の表面側に屈曲していることが好ましい。このように、バッテリー１４をＬ字形状にすることでも、デジタルカメラ１０のグリップ性を向上できる。また、図２（Ｂ）には、係合突起部３６を設けない図で示したが、バッテリー１４の表裏面の少なくとも一方面に係合突起部３６を設けるようにしてもよい。
【００４３】
バッテリー１４に内蔵されるセル３７は、図２に示すように、直列配置することが好ましい。
【００４４】
図３のデジタルカメラ１０は、上記した基本構成に加えて、デジタルカメラ本体１２の装着面２４に多数の微細な放熱孔３８、３８…と、装着面２４にバッテリー１４を装着したときに放熱孔３８が塞がれないための突起部（クリアランス形成手段）３９、３９…を形成したものである。図３では、装着面２４の上端と下端に長尺状の突起部３９を形成したが、クリアランス形成手段は突起部３９に限定されず、装着面２４にバッテリー１４を装着したときに放熱孔３８が塞がれなければよい。また、クリアランス形成手段はバッテリー１４側の装着面２７に形成してもよい。また、クリアランスとしてはバッテリー１４で放熱孔３８が塞がれなければよく、例えば０．１ｍｍ〜１ｍｍ程度が好ましい。
【００４５】
デジタルカメラ１０は撮像装置を構成する固体撮像素子（ＣＣＤやＣＭＯＳ）が熱を発生するため、何らか形で放熱する必要がある。本発明では、図３に示すように、デジタルカメラ本体１２の装着面２４に微細な多数の放熱孔３８を形成するようにした。このように、装着面２４に放熱孔３８を形成してもバッテリー１４を装着することで放熱孔３８が隠れるので、外観上の見栄えが悪くなることがない。しかも、デジタルカメラ本体１２の装着面２４にバッテリー１４を装着したときには、突起部３９により、装着面２４の放熱孔３８が塞がれることがない。従って、デジタルカメラ本体１２にバッテリー１４を装着するデジタルカメラ１０の撮影中であっても、固体撮像素子によって発生する熱をデジタルカメラ本体１２から効果的に放熱することができる。
【００４６】
図４のデジタルカメラ１０は、上記した基本構成に加えて、メモリーカード４０をデジタルカメラ本体１２内に挿入するためのカード挿入口４２をデジタルカメラ本体１２の装着面２４に形成したものである。図４に示すように、図４（Ａ）のデジタルカメラ本体１２内には、図４（Ｂ）に示す基板４４がデジタルカメラ本体１２の表裏面と平行に内蔵される。この基板４４には、上記した操作ボタン２２によりデジタルカメラ１０の各種機能を駆動する図示しないＣＰＵ、ドライバー、駆動回路、日時回路等が搭載されていると共に、ホルダー形状のカードコネクター４６が基板４４に平行に設けられる。そして、このカードコネクター４６のカード挿入口４２がデジタルカメラ本体１２の装着面２４に形成される。メモリーカード４０がカード挿入口４２からカードコネクター４６内に挿入され、コネクターピン４８、５０を介して基板４４の回路等に電気的に接続される。
【００４７】
そして、メモリーカード４０をカードコネクター４６に装着する場合には、先ずバッテリー１４をデジタルカメラ本体１２から脱着する。これにより、バッテリー１４からデジタルカメラ本体１２への電力供給が停止する。この状態で、メモリーカード４０をカード挿入口４２からカードコネクター４６内も挿入し、カードコネクター４６のコネクターピン４８とメモリーカード４０のコネクターピン５０とをしっかりと接触させる。次に、デジタルカメラ本体１２にバッテリー１４を装着する。これにより、カード挿入口４２により蓋がされる。また、メモリーカード４０をカードコネクター４６から抜き取るときには、先ずバッテリー１４をデジタルカメラ本体１２から脱着する。これにより、カード挿入口４２が開放されると共に、バッテリー１４からデジタルカメラ本体１２への電力供給が停止する。この状態で、メモリーカード４０をカードコネクター４６内から引き抜く。
【００４８】
このように、バッテリー１４が装着される装着面２４に、メモリーカード４０のカード挿入口４２を形成したので、バッテリー装着時はカード挿入口４２が見えなくなり、外観上の見栄えが向上するだけでなく、バッテリー１４がカード挿入口４２の蓋の役目をするので、蓋を別途設ける必要がない。また、メモリーカード４０の装着及び脱着は、電源を切った状態で行うことが好ましいが、バッテリー１４が装着される装着面２４に、カード挿入口４２を形成したので、メモリーカード４０の装着及び脱着をするためには、バッテリー１４をデジタルカメラ本体１２から脱着する必要があり、自動的に電源が切れる。従って、バッテリー１４の有無によるメモリーカードデータ保護用の検出スイッチを必要としない。また、基板４４と平行にカードコネクター４６を配置するので、基板実装性が向上する。
【００４９】
図５のデジタルカメラ１０は、上記した基本構成に加えて、ボタン電池５２をデジタルカメラ本体１２内に挿入するための電池挿入口５４をデジタルカメラ本体１２の装着面２４に形成したものである。デジタルカメラ１０は、日時回路等のようにデジタルカメラ１０を使用しないとき、即ちバッテリー１４からのメイン電力供給を停止させたときでも駆動しておかなくてはならない機能があり、電力供給源としてボタン電池５２を使用することがある。
【００５０】
図５に示すように、図５（Ａ）のデジタルカメラ本体１２内には、図４（Ｂ）で説明した基板４４がデジタルカメラ本体１２の表裏面と平行に内蔵され、図５（Ｂ）のように、この基板４４には、ボタン電池５２の電池ホルダー５６が基板４４に平行に形成される。また、電池ホルダー５６の電池挿入口５４がデジタルカメラ本体１２の装着面２４に形成され、ボタン電池５２が電池挿入口５４から電池ホルダー５６内に挿入されることで基板４４の日時回路等に電気的に接続される。これにより、基板４４に形成された日時回路等に常時電力を供給する。そして、ボタン電池５２を電池ホルダー５６に装着する場合には、先ずバッテリー１４をデジタルカメラ本体１２から脱着する。これにより、電池ホルダー５６の電池挿入口５４が開放されるので、ボタン電池５２を電池ホルダー５６内に挿入する。ボタン電池５２を電池ホルダー５６から抜き取って交換するときには、ボタン電池５２を押し込む方向に力を加えることで出てくるように、電池ホルダー５６内に突出機構を設けるとよい。また、電池挿入口５４からボタン電池５２を摘まみ出し易くするように、電池挿入口５４に摘まみ用の窪みを形成しておくとよい。
【００５１】
このように、バッテリー１４が装着されるデジタルカメラ本体１２の装着面２４に、ボタン電池５２の電池挿入口５４を形成したので、バッテリー装着時は電池挿入口５４が見えなくなり、外観上の見栄えが向上するだけでなく、バッテリー１４が電池挿入口５４の蓋の役目をするので、蓋を別途設ける必要がない。また、基板４４に平行に電池ホルダー５６を形成することで、基板実装性が向上する。
【００５２】
図６のデジタルカメラ１０は、上記基本構成に加えて、バッテリー１４にストラップ５８を設けるようにしたものである。図６に示すように、バッテリー１４に形成した係合突起部３６に孔６０を開けてストラップ５８を通すようにした。これにより、デジタルカメラ本体１２の設計自由度を上げることができるだけでなく、バッテリー１４を脱着したときに、ストラップ５８があることでバッテリー１４を紛失しにくくなる。
【００５３】
尚、本実施の形態では、図３の放熱孔３８及び突起部３９、図４のカード挿入口４２、図５の電池挿入口５４、図６のストラップ５８を個別に説明したが、本発明のデジタルカメラ１０は、これらを全て備えるようにしてもよい。
【図面の簡単な説明】
【００５４】
【図１】本発明のデジタルカメラの基本構成を説明する斜視図
【図２】バッテリーの異なる形状を説明する斜視図
【図３】本発明のデジタルカメラにおいて、デジタルカメラ本体の装着面に放熱孔を形成した態様を説明する斜視図
【図４】本発明のデジタルカメラにおいて、デジタルカメラ本体の装着面にカード挿入口を形成した態様を説明する斜視図
【図５】デジタルカメラ本体の装着面に電池挿入口を形成した態様を説明する斜視図
【図６】本発明のデジタルカメラにおいて、バッテリーにストラップを設けた態様を説明する斜視図
【符号の説明】
【００５５】
１０…デジタルカメラ、１２…デジタルカメラ本体、１４…バッテリー、１６…沈胴レンズ、１８…フラッシュの窓、２０…液晶モニタ、２２…操作ボタン、２４…デジタルカメラ本体の装着面、２６…コネクターピン、２７…バッテリーの装着面、２８…フック、３０…係合孔、３２…スライドピン、３４…スライドボタン、３６…係合突起部、３８…放熱孔、３９…突起部、４０…メモリーカード、４２…カード挿入孔、４４…基板、４６…カードコネクター、４８、５０…コネクターピン、５２…ボタン電池、５４…電池挿入口、５６…電池ホルダー、５８…ストラップ、６０…孔
【図１】
2008172418.tif 000003
【図２】
2008172418.tif 000004
【図３】
2008172418.tif 000005
【図４】
2008172418.tif 000006
【図５】
2008172418.tif 000007
【図６】
2008172418.tif 000008